(57)【要約】【課題】構造が簡単であり、エアー抜き構造と増圧構造とを小型化して、小型および大型の容器のいずれにも適用可能であり、且つユーザーが容器内の真空状態を容易に判断できる容器用エアー抜き構造を提供する。【解決手段】容器（１０）の蓋（２０）に取付けられる容器用エアー抜き構造において、前記蓋（２０）は、その頂部に嵌め穴（２２）が一つ設けてあり、前記嵌め穴（２２）の外周には通気穴（２３）が少なくとも一つ設けてあり、前記蓋（２０）の嵌め穴（２２）に円柱形状を呈するボタン（３０）が嵌め込まれ、前記ボタン（３０）の下方には止め縁（３１）が設けてあり、前記止め縁（３１）が前記蓋（２０）の裏面に当接し、前記ボタン（３０）の中段には前記通気穴（２３）をカバーするダイヤフラム（３２）が一つ設けてあることを特徴とする。【選択図】図３
0003124084.tif 000002
【実用新案登録請求の範囲】
【請求項１】
容器（１０）の蓋（２０）に取付けられる容器用エアー抜き構造において、
前記蓋（２０）は、その頂部に嵌め穴（２２）が一つ設けてあり、前記嵌め穴（２２）の外周には通気穴（２３）が少なくとも一つ設けてあり、
前記蓋（２０）の嵌め穴（２２）に円柱形状を呈するボタン（３０）が嵌め込まれ、前記ボタン（３０）の下方には止め縁（３１）が設けてあり、前記止め縁（３１）が前記蓋（２０）の裏面に当接し、前記ボタン（３０）の中段には前記通気穴（２３）をカバーするダイヤフラム（３２）が一つ設けてあること
を特徴とする容器用エアー抜き構造。
【請求項２】
前記蓋（２０）の頂部には窪み（２１）が一つ凹設してあり、前記嵌め穴（２２）が前記窪み（２１）に位置することを特徴とする請求項１に記載の容器用エアー抜き構造。
【請求項３】
前記ボタン（３０）と前記ダイヤフラム（３２）との間には環状溝（３３）が凹設してあることを特徴とする請求項１又は請求項２に記載の容器用エアー抜き構造。
【請求項４】
前記ボタン（３０）の中心には通気穴（３４）が開設してあり、前記ダイヤフラム（３２）の上にはキャップ形状を呈する真空表示具（３５）がカバーしてあり、前記真空表示具（３５）の頂部と、前記ボタン（３０）の頂部との間には一定の隙間を有し、前記隙間により前記真空表示具（３５）の頂部が降下可能であることを特徴とする請求項１乃至請求項３のうち、いずれか１に記載の容器用エアー抜き構造。
【請求項５】
前記容器（１０）は、複数の小型の容器（１０ａ）を収容可能な大型の容器であることを特徴とする請求項１乃至請求項４のうち、いずれか１に記載の容器用エアー抜き構造。
【請求項６】
前記大型の容器（１０）の何れか一つの内壁面には吊り部（１１）が少なくとも一つ設けてあり、前記小型の容器（１０ａ）のエアー抜き筒（４０ａ）が前記吊り部（１１）に係止されることを特徴とする請求項５に記載の容器用エアー抜き構造。
【考案の詳細な説明】
【技術分野】
【０００１】
本考案は、構造が簡単であり、エアー抜き構造と増圧構造とを小型化して、小型の容器に適用可能な容器用エアー抜き構造に関するものである。
【背景技術】
【０００２】
まず、図１と図２を参照する。従来の真空貯蔵缶の構造は、主に、上側が開口する缶体１を含み、前記缶体１の頂部には蓋２が設けてあり、前記蓋２は、更に、中空の台座３と、前記台座３に係止された自在蓋４とを含み、前記台座３の中央には前記缶体１と連通するエアー抜き管５が二つ設けてあり、前記二つのエアー抜き管５に一つの引きロッド６が嵌め込まれてある。前記引きロッド６を往復させると、前記缶体１内のエアーが抜き出され、前記缶体１の内部は真空状態となるので、前記缶体１の内部に貯蔵される品物は空気と接触しなくなり、品物の保存期限をより長く延長するができる。また、前記缶体１内の品物を取り出そうとする場合には、前記自在蓋４にある増圧ボタン７を押圧して、外部のエアーを前記缶体１内に進入させる。そうすると、前記蓋２を取り外すことができる。なお、前記缶体１の内部が真空になったかどうかを容易に判断できるように、前記台座３には表示ボタン８が設けてあり、前記引きロッド６により前記缶体１の内部のエアーを抜いている際に、前記缶体１の内部が真空になると、減圧された圧力により前記表示ボタン８が前記蓋４の穴９に沈み、これにより、ユーザーは前記缶体１の内部の真空状態を容易に判断できる。
【０００３】
上記の説明から明らかなように、従来の真空貯蔵缶は、エアー抜き管５と、引きロッド６と、増圧ボタン７と、表示ボタン８とを前記真空貯蔵缶に組付けることが必要であった。
【考案の開示】
【考案が解決しようとする課題】
【０００４】
しかしながら、前記真空貯蔵缶の用途としては、例えば、薬収容缶として使用したり、その薬収容缶自体を更に収容させて使用することもあるため、前記真空貯蔵缶の缶体１と蓋２の寸法が小さい場合にも大きい場合にも両方に適用可能な容器用エアー抜き構造が必要であったが、従来の構造では、エアー抜き管５と、引きロッド６と、増圧ボタン７と、表示ボタン８という構成部材が総て前記真空貯蔵缶に組付けられることが必要であったため、真空貯蔵缶の缶体１と蓋２の寸法が小さい場合には適用することができなかった。
そこで、本考案は、前記問題点に鑑みてなされたものであって、構造が簡単であり、エアー抜き構造と増圧構造とを小型化して、小型および大型の容器のいずれにも適用可能であり、且つユーザーが容器内の真空状態を容易に判断できる容器用エアー抜き構造を提供する。
【課題を解決するための手段】
【０００５】
上記目的を達成するためになされた本考案は、容器の蓋に取付けられる容器用エアー抜き構造において、前記蓋は、その頂部に嵌め穴が一つ設けてあり、前記嵌め穴の外周には通気穴が少なくとも一つ設けてあり、前記蓋の嵌め穴に円柱形状を呈するボタンが嵌め込まれ、前記ボタンの下方には止め縁が設けてあり、前記止め縁が前記蓋の裏面に当接し、前記ボタンの中段には前記通気穴をカバーするダイヤフラムが一つ設けてあることを特徴とする容器用エアー抜き構造であることを要旨としている。
【０００６】
また、本考案では、前記蓋の頂部には窪みが一つ凹設してあり、前記嵌め穴が前記窪みに位置することを特徴とする請求項１に記載の容器用エアー抜き構造であることを要旨としている。
【０００７】
また、本考案では、前記ボタンと前記ダイヤフラムとの間には環状溝が凹設してあることを特徴とする請求項１乃至請求項４のうち、いずれか１に記載の容器用エアー抜き構造であることを要旨としている。
【０００８】
また、本考案では、前記ボタンの中心には通気穴が開設してあり、前記ダイヤフラムの上にはキャップ形状を呈する真空表示具がカバーしてあり、前記真空表示具の頂部と、前記ボタンの頂部との間には一定の隙間を有し、前記隙間により前記真空表示具の頂部が降下可能であることを特徴とする請求項１乃至請求項４のうち、いずれか１に記載の容器用エアー抜き構造であることを要旨としている。
【０００９】
また、本考案では、前記容器は、複数の小型の容器を収容可能な大型の容器であることを特徴とする請求項１乃至請求項４のうち、いずれか１に記載の容器用エアー抜き構造であることを要旨としている。
【００１０】
また、本考案では、前記大型の容器の何れか一つの内壁面には吊り部が少なくとも一つ設けてあり、前記小型の容器のエアー抜き筒が前記吊り部に係止されることを特徴とする請求項５に記載の容器用エアー抜き構造であることを要旨としている。
【考案の効果】
【００１１】
本考案に係る容器用エアー抜き構造によれば、次のような効果がある。
【００１２】
（イ）構造が簡単であり、容器１０にある蓋２０のエアー抜き構造と増圧構造とが小型化され、小型および大型の容器に適用可能である。
【００１３】
（ロ）真空表示具３５により、ユーザーは容器１０内の真空状態を容易に判断できる。
【考案を実施するための最良の形態】
【００１４】
以下、添付図面を参照して本考案の好適な実施の形態を詳細に説明する。
【００１５】
まず、図３と図４を参照する。本考案の容器用エアー抜き構造は、容器１０の蓋２０に取付けられるものであり、前記蓋２０は、その頂部に窪み２１が凹設してあり、前記窪み２１の中央には外部と外部を連通するための嵌め穴２２が一つ設けてあり、前記嵌め穴２２の外周には通気穴２３が複数に設けてある。
【００１６】
円柱形状を呈するボタン３０が上から下へ前記蓋２０の嵌め穴２２に嵌め込まれ、前記ボタン３０の底部には直径が前記ボタン３０よりも大きい止め縁３１が設けてあり、前記ボタン３０の中段には前記通気穴２３をカバーするダイヤフラム３２が一つ設けてあり、前記ボタン３０と前記ダイヤフラム３２との間には環状溝３３が凹設してある。
【００１７】
本考案の組合方法は、前記ボタン３０を前記蓋２０の嵌め穴２２に押し込み、前記ボタン３０の底部にある止め縁３１により、前記ボタン３０が前記蓋の裏面に当接して位置決めされる。また、本考案の使用方法は、図５（Ａ）に示すように、前記窪み２１にエアー抜き筒４０をカバーしてエアーを抜き、このとき、前記ダイヤフラム３２が上方向へ引き上げられ、容器１０内のエアーが前記窪み２１の各通気穴２３から大気へ抜かれ、また、容器１０が真空になったときに、前記エアー抜き筒４０を取り外して、前記ボタン３０にあるダイヤフラム３２が減圧された圧力によって前記各通気穴２３に緊密に貼り付いて閉塞されるため、容器１０内の真空状態が保持され、前記容器１０内に貯蔵される品物の保存期限をより長く延長することができる。
【００１８】
また、図５（Ｂ）に示すように、前記容器１０内に貯蔵された品物を取り出そうとする場合には、前記ボタン３０を手で押圧し、前記ボタン３０と前記ダイヤフラム３２との間では環状溝３３が凹設してあることにより、前記ダイヤフラム３２は、容易に上方向へ上げられ、前記窪み２１にある各通気穴２３から離脱されるので、外部の空気が容器１０に進入することができ、前記蓋２０を開けることができるようになる。
【００１９】
また、図６（Ａ）に示すのは、本考案の第２の実施の形態であって、主に、前記ボタン３０のダイヤフラム３２にフレキシブル素材で作製された真空表示具３５を追加し、前記真空表示具３５は、下側が開口したキャップ形状を呈し、前記ボタン３０のダイヤフラム３２をカバーし、前記真空表示具３５の頂部と、前記ボタン３０の頂部との間には一定の隙間を有し、前記隙間により前記真空表示具３５の頂部が降下可能であり、また、前記ボタン３０には上下に貫通した通気穴３４が開設してある。
【００２０】
このような構造により、容器１０の内部が真空になると、図６（Ｂ）に示すように、減圧された圧力によりフレキシブル素材で作製された前記真空表示具３５の頂部が下に沈み、これにより、ユーザーは前記容器１０の内部の真空状態を容易に判断できる。
【００２１】
また、図７に示すのは本考案の使用状態を示す斜視図であって、一つの大型の容器１０を含み、前記大型の容器１０の内部には複数の小型の容器１０ａ（例えば薬収容缶など）を収容可能であり、前記大型の容器１０の内壁面の開口近傍には吊り部１１が二つ設けてあり、前記小型の容器１０ａのエアー抜き筒４０ａが前記吊り部１１に係止される。実際の使用方法は、真空にエアー抜きした小型の容器１０ａを前記大型の容器１０の内部に入れて、前記エアー抜き筒４０により前記大型の容器１０を真空にエアー抜き、これにより、前記小型の容器１０ａ内に貯蔵した品物の保存期限をより長く延長するができる。また、前記大型の容器１０内のエアーを直接に抜くので、前記大型の容器１０の内部に入れられた前記小型の容器１０ａの内部のエアーも抜かれ、これにより、前記大型の容器１０と、前記小型の容器１０ａとは総て真空状態になる。
【００２２】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２３】
【図１】従来の真空貯蔵缶の構造を示す分解斜視図である。
【図２】従来の真空貯蔵缶の構造を示す部分拡大図である。
【図３】本考案の第１の実施の形態を示す分解斜視図である。
【図４】本考案の第１の実施の形態を示す断面図である。
【図５】（Ａ）は、本考案の第２の実施の形態における減圧動作を示す断面図、（Ｂ）は、本考案の第２の実施の形態における増圧動作を示す断面図である。
【図６】（Ａ）は、本考案の第２の実施の形態を示す断面図、（Ｂ）は、本考案の第２の実施の形態における真空になった状態を示す断面図である。
【図７】本考案の使用状態を示す斜視図である。
【符号の説明】
【００２４】
１      缶体
２      蓋
３      台座
４      自在蓋
５      エアー抜き管
６      引きロッド
７      増圧ボタン
８      表示ボタン
９      穴
１０      容器
１０ａ    容器
１１      吊り部
２０      蓋
２１      窪み
２２      嵌め穴
２３      通気穴
３０      ボタン
３１      止め縁
３２      ダイヤフラム
３３      環状溝
３４      通気穴
３５      真空表示具
４０ａ    エアー抜き筒
【図１】
0003124084.tif 000003
【図２】
0003124084.tif 000004
【図３】
0003124084.tif 000005
【図４】
0003124084.tif 000006
【図５】
0003124084.tif 000007
【図６】
0003124084.tif 000008
【図７】
0003124084.tif 000009